(57)【要約】      （修正有）【課題】画像をダウンロード販売するサービス等において、広告の効果を向上させることが可能な画像ダウンロードシステム、サーバ、画像ダウンロード方法及びプログラムを提供する。【解決手段】画像ダウンロードシステム１において、ダウンロードサイトのサーバ５は、画像の内容（例えば、人物の属性）に応じて配信する広告の内容を決定する。ユーザ端末７はダウンロードチケットに記載されたアドレス情報を用いてダウンロードサイトのサーバにアクセスすると、サーバはこのユーザ端末の画像に基づいて決定された広告の内容に該当する広告コンテンツを広告配信サーバ６から取得し、ユーザ端末に配信する。その後、ユーザ端末は画像をダウンロードするためのパスコードの入力を受け付ける。サーバはパスコードに対応づけて記憶されている画像を記憶部から取得しユーザ端末に送信する。【選択図】図１
2020046722.tif 000002
【特許請求の範囲】
【請求項１】
ダウンロードサイトのサーバと、ユーザ端末とがネットワークを介して通信接続された画像ダウンロードシステムであって、
前記サーバは、
画像を取得する画像取得手段と、
前記画像に基づき広告の内容を決定する広告内容決定手段と、
前記ユーザ端末からの画像のダウンロード要求に応答して前記画像及び前記広告の内容に該当する広告コンテンツを該ユーザ端末に送信する送信手段と、を備え、
前記ユーザ端末は、
前記サーバに通信接続し、前記画像のダウンロード要求を送信するダウンロード要求手段と、
前記画像及び広告を受信する受信手段と、
受信した画像及び広告を表示する表示手段と、
を備えることを特徴とする画像ダウンロードシステム。
【請求項２】
前記広告内容決定手段は、
前記画像に含まれる人物の属性を分析し、属性に基づいて広告の内容を決定することを特徴とする請求項１に記載の画像ダウンロードシステム。
【請求項３】
前記ユーザ端末は、前記サーバに通信接続する際に当該ユーザ端末の位置情報を送信し、
前記サーバの送信手段は、前記ユーザ端末から送信された位置情報またはユーザ端末からのアクセス日時情報に応じた広告コンテンツを前記ユーザ端末に送信することを特徴とする請求項１または請求項２に記載の画像ダウンロードシステム。
【請求項４】
前記ユーザ端末の表示手段は、前記広告コンテンツと前記画像とを組み合わせて表示することを特徴とする請求項１から請求項３のいずれかに記載の画像ダウンロードシステム。
【請求項５】
前記ユーザ端末の表示手段は、
前記画像を表示する前に前記広告コンテンツを表示することを特徴とする請求項１から請求項４のいずれかに記載の画像ダウンロードシステム。
【請求項６】
前記サーバは、前記ユーザ端末に送信する広告コンテンツを、広告コンテンツを配信するサーバである広告配信サーバから取得することを特徴とする請求項１から請求項５のいずれかに記載の画像ダウンロードシステム。
【請求項７】
前記サーバは、前記画像毎に発行されたダウンロードサイトのアドレス情報及びパスコードを該画像と対応付けて記憶し、
前記サーバの送信手段は、前記ユーザ端末が前記ダウンロードサイトのアドレス情報を用いてアクセスすると該アドレス情報に対応付けて記憶された広告コンテンツを該ユーザ端末に送信し、前記ユーザ端末から前記パスコードとともに画像のダウンロード要求を受信すると前記パスコードに対応付けて記憶された画像を該ユーザ端末に送信し、
前記ユーザ端末は、前記ダウンロードサイトへのアクセス情報を用いて前記サーバにアクセスし、
前記ユーザ端末のダウンロード要求手段は、前記パスコードの入力を受け付け、入力されたパスコードを前記ダウンロード要求とともに送信する
ことを特徴とする請求項１から請求項６のいずれかに記載の画像ダウンロードシステム。
【請求項８】
前記ユーザ端末のダウンロード要求手段は、前記表示手段により広告コンテンツを表示した後、所定時間経過後であって広告の表示を消去する指示が入力された場合に、前記パスコードを前記サーバに送信することを特徴とする請求項７に記載の画像ダウンロードシステム。
【請求項９】
ユーザ端末とネットワークを介して通信接続されたダウンロードサイトのサーバであって、
画像を取得する画像取得手段と、
前記画像に基づき広告の内容を決定する広告内容決定手段と、
前記ユーザ端末からの画像のダウンロード要求に応答して前記画像及び前記広告の内容に該当する広告コンテンツを該ユーザ端末に送信する送信手段と、
を備えることを特徴とするサーバ。
【請求項１０】
ダウンロードサイトのサーバと、ユーザ端末とがネットワークを介して通信接続された画像ダウンロードシステムにおける画像ダウンロード方法であって、
前記サーバが画像を取得するステップと、
前記サーバが前記画像に基づき広告の内容を決定するステップと、
前記ユーザ端末が、前記サーバに通信接続し、前記画像のダウンロード要求を送信するステップと、
前記サーバが、前記ユーザ端末からの画像のダウンロード要求に応答して前記画像及び前記広告の内容に該当する広告コンテンツを該ユーザ端末に送信するステップと、
前記ユーザ端末が前記画像及び広告を受信し、表示するステップと、
を含むことを特徴とする画像ダウンロード方法。
【請求項１１】
ユーザ端末とネットワークを介して通信接続されたダウンロードサイトのサーバとして機能するコンピュータを、
画像を取得する画像取得手段、
前記画像に基づき広告の内容を決定する広告内容決定手段、
前記ユーザ端末からの画像のダウンロード要求に応答して前記画像及び前記広告の内容に該当する広告コンテンツを該ユーザ端末に送信する送信手段、
として機能させるためのプログラム。
【発明の詳細な説明】
【技術分野】
【０００１】
本発明は、画像ダウンロードシステム、サーバ、画像ダウンロード方法、及びプログラムに関し、詳細には、画像をユーザ端末へ提供するサービスに関する。
【背景技術】
【０００２】
遊園地等の観光地を訪れた来場者を撮影して記念品として写真や画像データを販売するサービスがある（例えば特許文献１）。この種のサービスでは、画像データを販売する際、画像ダウンロード用のサイトへアクセスするためのＱＲコード（登録商標）付きダウンロードチケットを来場者に提供することがある。また、このダウンロードチケットに企業広告を印刷することもある。
【先行技術文献】
【特許文献】
【０００３】
【特許文献１】特開２００４−２２８６３７号公報
【発明の概要】
【発明が解決しようとする課題】
【０００４】
しかしながら、上述のサービスにおいて利用者に広告を提供する場合、利用者が全く関心のない広告を提供しても広告の効果が得られるとは限らない。そのため、利用者に適した広告を提供することが望ましい。
【０００５】
本発明は、前述した問題点に鑑みてなされたものであり、その目的は、画像をダウンロード販売するサービス等において、広告の効果を向上させることが可能な画像ダウンロードシステム、サーバ、画像ダウンロード方法、及びプログラムを提供することである。
【課題を解決するための手段】
【０００６】
前述した目的を達成するために第１の発明は、ダウンロードサイトのサーバと、ユーザ端末とがネットワークを介して通信接続された画像ダウンロードシステムであって、前記サーバは、画像を取得する画像取得手段と、前記画像に基づき広告の内容を決定する広告内容決定手段と、前記ユーザ端末からの画像のダウンロード要求に応答して前記画像及び前記広告の内容に該当する広告コンテンツを該ユーザ端末に送信する送信手段と、を備え、前記ユーザ端末は、前記サーバに通信接続し、前記画像のダウンロード要求を送信するダウンロード要求手段と、前記画像及び広告を受信する受信手段と、受信した画像及び広告を表示する表示手段と、を備えることを特徴とする画像ダウンロードシステムである。
【０００７】
第１の発明によれば、ダウンロードサイトのサーバは、画像を取得すると、画像に基づき広告の内容を決定し、ユーザ端末からの画像のダウンロード要求に応答して画像及び決定した広告の内容に該当する広告コンテンツを該ユーザ端末に送信する。これにより、画像をダウンロード販売するサービス等において、画像の被写体である利用者に適した広告を配信することが可能となり、広告の効果を期待できる。
【０００８】
また、前記広告内容決定手段は、前記画像に含まれる人物の属性を分析し、属性に基づいて広告の内容を決定することが望ましい。これにより、画像に写っている人の年齢や性別、人数や人種等に応じて適切な広告を配信することが可能となる。
【０００９】
また、前記ユーザ端末は、前記サーバに通信接続する際に当該ユーザ端末の位置情報を送信し、前記サーバの送信手段は、前記ユーザ端末から送信された位置情報またはユーザ端末からのアクセス日時情報に応じた広告コンテンツを前記ユーザ端末に送信することが望ましい。これにより、ユーザ端末の位置やアクセス日時等、利用者の状況に応じた広告をユーザ端末に配信することで、利用者にとって有益な広告を配信可能となる。
【００１０】
また、前記ユーザ端末の表示手段は、前記広告コンテンツと前記画像とを組み合わせて表示することが望ましい。これによりユーザが撮影された画像と広告とが組み合わされた表示を行うことができ、ユーザの目を引き、より親近感のある広告を提供できる。
【００１１】
また、前記ユーザ端末の表示手段は、前記画像を表示する前に前記広告コンテンツを表示することが望ましい。これにより、画像をダウンロード販売するサービス等において、利用者に視聴されやすいタイミングで広告を配信することが可能となり、広告の効果を期待できる。
【００１２】
また、前記サーバは、前記ユーザ端末に送信する広告コンテンツを、広告コンテンツを配信するサーバである広告配信サーバから取得することが望ましい。これにより、サーバ側で広告を管理しなくとも広告配信サーバから適切な広告が配信されるため、サーバの負担を軽減できる。
【００１３】
また、前記ユーザ端末のダウンロード要求手段は、前記表示手段により広告コンテンツを表示した後、所定時間経過後であって広告の表示を消去する指示が入力された場合に、前記パスコードを前記サーバに送信してもよい。これにより、ユーザ端末に広告を表示する時間を確実に設けることが可能となる。また、ユーザの意思で広告を消去することも可能となる。
【００１４】
第２の発明は、ユーザ端末とネットワークを介して通信接続されたダウンロードサイトのサーバであって、画像を取得する画像取得手段と、前記画像に基づき広告の内容を決定する広告内容決定手段と、前記ユーザ端末からの画像のダウンロード要求に応答して前記画像及び前記広告の内容に該当する広告コンテンツを該ユーザ端末に送信する送信手段と、を備えることを特徴とするサーバである。
【００１５】
第２の発明により、第１の発明の画像ダウンロードシステムにおけるダウンロードサイトのサーバを提供できる。
【００１６】
第３の発明は、ダウンロードサイトのサーバと、ユーザ端末とがネットワークを介して通信接続された画像ダウンロードシステムにおける画像ダウンロード方法であって、前記サーバが画像を取得するステップと、前記サーバが前記画像に基づき広告の内容を決定するステップと、前記ユーザ端末が、前記サーバに通信接続し、前記画像のダウンロード要求を送信するステップと、前記サーバが、前記ユーザ端末からの画像のダウンロード要求に応答して前記画像及び前記広告の内容に該当する広告コンテンツを該ユーザ端末に送信するステップと、前記ユーザ端末が前記画像及び広告を受信し、表示するステップと、を含むことを特徴とする画像ダウンロード方法である。
【００１７】
第３の発明によれば、ダウンロードサイトのサーバは、画像を取得すると画像に基づき広告の内容を決定し、ユーザ端末からの画像のダウンロード要求に応答して画像及び決定した広告の内容に該当する広告コンテンツを該ユーザ端末に送信する。これにより、画像をダウンロード販売するサービス等において、画像の被写体である利用者に適した広告を配信することが可能となり、広告の効果を期待できる。
【００１８】
第４の発明は、ユーザ端末とネットワークを介して通信接続されたダウンロードサイトのサーバとして機能するコンピュータを、画像を取得する画像取得手段、前記画像に基づき広告の内容を決定する広告内容決定手段、前記ユーザ端末からの画像のダウンロード要求に応答して前記画像及び前記広告の内容に該当する広告コンテンツを該ユーザ端末に送信する送信手段、として機能させるためのプログラムである。
【００１９】
第４の発明により、コンピュータを第１及び第２の発明のダウンロードサイトのサーバとして機能させることが可能となる。
【発明の効果】
【００２０】
本発明によれば、画像をダウンロード販売するサービス等において、広告の効果を向上させることが可能な画像ダウンロードシステム、サーバ、画像ダウンロード方法、及びプログラムを提供することが可能となる。
【図面の簡単な説明】
【００２１】
【図１】画像ダウンロードシステム１の全体構成を示す図
【図２】チケット発券装置３の構成を示す図
【図３】ダウンロードチケット８２の例を示す図
【図４】ダウンロードサイトのサーバ５のハードウェア構成を示す図
【図５】撮像画像データ２０のデータ構成の例を示す図
【図６】カテゴリ決定用テーブル５５の例を示す図
【図７】広告配信サーバ６のハードウェア構成を示す図
【図８】広告コンテンツデータ４０のデータ構成の例を示す図
【図９】ユーザ端末７のハードウェア構成を示す図
【図１０】チケット発券処理の流れを示すフローチャート
【図１１】広告内容決定処理の流れを示すフローチャート
【図１２】画像ダウンロード処理の流れを示すフローチャート
【図１３】ユーザ端末７における画面遷移を示す図
【図１４】画像２２に応じた広告配信の例
【図１５】時間帯に応じた広告配信の例
【図１６】画像２２を広告コンテンツ４２に組み込んで表示する例
【発明を実施するための形態】
【００２２】
以下、図面を参照しながら、本発明の実施の形態について詳細に説明する。本実施の形態では、遊園地等のアミューズメント施設やイベント会場等で来場者を撮影した画像を販売する画像撮影販売サービスにおいて、本発明を適用した例について説明するが、本発明はこの例に限定されない。本発明は、画像のダウンロードサービス等、前述の課題を有する様々な画像提供サービスに適用可能である。
【００２３】
図１は、本発明の画像ダウンロードシステム１の全体構成を示す図である。画像ダウンロードシステム１は、カメラ２（撮影装置）、ダウンロードチケット８２を発券するチケット発券装置３、ネットワーク４、ダウンロードサイトのサーバ５、広告配信サーバ６、及びユーザ端末７等を備える。以下、各構成について説明する。
【００２４】
カメラ２（撮影装置）は、撮影業者（カメラマン）が使用するカメラや、遊園地等のアトラクション（ジェットコースター）等に設置され来場者（被写体）の様子を撮影するデジタルカメラである。カメラ２（撮影装置）は、画像を撮影すると、画像の識別情報である撮影ＩＤを発行し、撮影した画像（静止画または動画）と撮影ＩＤとを、チケット発券装置３に送信する。撮影した画像と撮影ＩＤは、チケット発券装置３の記憶部３２またはストレージ１００に記憶されるとともに、ダウンロードサイトのサーバ５に送信され、サーバ５に画像データ２０として記憶される。なお、カメラ２とチケット発券装置３との通信接続は、有線または無線のいずれでもよい。
【００２５】
チケット発券装置３は、ダウンロードチケット８２を発券する装置である。ダウンロードチケット８２については後述する。図２は、チケット発券装置３のハードウェア構成の例を示す図である。図２に示すように、チケット発券装置３は、制御部３１、記憶部３２、表示部３３、入力部３４、通信部３５、プリンタ３６、ストレージ１００、及びバス３８等により構成される。
【００２６】
制御部３１は、ＣＰＵ（Central
Processing Unit）、ＲＯＭ（Read
Only Memory）、ＲＡＭ（Random
Access Memory）等によって構成される。ＣＰＵは、記憶部３２、ＲＯＭ、記録媒体等に格納されるプログラムをＲＡＭ上のワークメモリ領域に呼び出して実行し、バス３８を介して接続された各装置を駆動制御し、チケット発券装置３が行うチケット発券処理を実現する。
【００２７】
記憶部３２は、フラッシュメモリ、ＨＤＤ（Hard Disk Drive）等であり、制御部３１が実行するプログラム、プログラム実行に必要なデータ、ＯＳ（Operating System）等が格納される。プログラムに関しては、ＯＳに相当する制御プログラムや、ダウンロードチケット８２の発券処理をチケット発券装置３に実行させるためのアプリケーションプログラムが格納されている。これらの各プログラムコードは、制御部３１により必要に応じて読み出されてＲＡＭに移され、ＣＰＵに読み出されて各種の手段として実行される。
【００２８】
表示部３３は、チケット発券装置３の入力部を兼ねたタッチパネル付ディスプレイ等により実現される。表示部３３は、ユーザの操作・選択に係る各種の画面を表示し、画面上のタッチ操作によるユーザの指示入力等を受付ける。入力部３４は、上述のタッチパネル及び各種のボタン等により構成され、入力された信号を制御部３１に入力する。
【００２９】
通信部３５は、通信制御装置、通信ポート等を有し、チケット発券装置３とネットワーク４との間の通信を媒介する通信インタフェースであり、ネットワーク４を介して、ストレージ１００や他のコンピュータ間との通信制御を行うことが可能である。ネットワーク４は、有線、無線を問わない。バス３８は、各装置間の制御信号、データ信号等の授受を媒介する経路である。
【００３０】
プリンタ３６は、カメラ２により撮影された画像２２とダウンロードサイトのサーバ５へのアドレス情報を有する２次元コード（例えば、ＱＲコード（登録商標）やバーコード等）、及び画像のパスコードが記載されたダウンロードチケット８２を所定の用紙に印刷して出力する。プリンタ３６は、例えば、高解像度カラープリンタであり、昇華型、溶融型等、プリンタの方式は問わない。
【００３１】
記憶部３２またはストレージ１００は、カメラ２により撮影された画像（撮影画像データ２０）を記憶する。ストレージ１００は、カメラ２及びチケット発券装置３からネットワーク４を介してアクセス可能なオンラインストレージでもよい。
【００３２】
図３は、チケット発券装置３のプリンタ３６により印刷される印刷物８の例を示す図である。図３に示すように、印刷物８は、２つに切り離すためのミシン目８３を有している。ミシン目８３を境界として一方の領域８１（図３では左側領域）には、画像販促用として無償提供されるサンプル写真８４が印刷される。また、ミシン目８３を境界として他方の領域（図３では右側領域）が画像購入後に提供されるダウンロードチケット８２である。
【００３３】
サンプル写真８４は、カメラ２により撮影された画像が印刷されており、この画像の下には当該画像のダウンロード用の識別情報であるパスコード８５が印刷されている。ダウンロードチケット８２には、動画のダウンロード手順を説明する文章８７とともに、ダウンロードサイトのサーバ５へのアドレス情報８８が２次元コードの形態で印刷されている。また、ダウンロードチケット８２には、企業広告等の広告８６が印刷される。
【００３４】
会場スタッフ等は、ミシン目８３でダウンロードチケット８２を切り離し、サンプル写真８４側の半券８１を来場者（サンプル写真８４の被写体）に無償で提供する。
【００３５】
来場者（またはその家族や友人など）がサンプル写真８４を見て、画像データのダウンロード購入を決めた場合には、サンプル写真８４をスタッフ等に提示し、画像データの購入代金と引き換えに、ダウンロードチケット８２側の半券を受け取ることができる。
【００３６】
なお、図３に示すように、サンプル写真８４側の半券８１とダウンロードチケット８２側の半券のそれぞれには、サンプル写真８４とダウンロードチケット８２とのセットを識別する同一の識別コード８９（「０００４」）が印刷されている。この識別コード８９によって、サンプル写真８４とダウンロードチケット８２とを照合させることができるので、スタッフ等が、誤って別のダウンロードチケットを購入者に提供してしまうようなことを防ぐことができる。
【００３７】
次に、ダウンロードサイトのサーバ５について説明する。ダウンロードサイトのサーバ５は、カメラ２で撮影された画像をユーザ端末７に配信するサーバである。図４は、ダウンロードサイトのサーバ５のハードウェア構成を示す図である。
【００３８】
図４に示すように、ダウンロードサイトのサーバ５は、例えば制御部５１、記憶部５２、及び通信部５３等をバス５８等により接続して構成したコンピュータにより実現できる。但し、これに限ることなく、適宜様々な構成をとることができる。
【００３９】
制御部５１、記憶部５２、通信部５３の機能は上述した制御部３１、記憶部３２、通信部３５と略同様である。なお、ダウンロードサイトのサーバ５の記憶部５２には後述する処理をサーバ５に実行させるためのプログラムが格納される。
サーバの記憶部５２には、カメラ２により撮影された撮影画像及び撮影ＩＤ等がカメラ２から送信され、またはチケット発券装置３を介して送信され、撮影画像データ２０として記憶される。
【００４０】
図５は、ダウンロードサイトのサーバ５の記憶部５２（またはストレージ１００）に記憶される撮影画像データ２０の内容を示す図である。撮影画像データ２０には、カメラ２により生成される撮影ＩＤ２１、カメラ２により撮影された画像である画像２２の他、画像毎に発行されるパスコード２３及びダウンロードサイトのアドレス情報（ダウンロードＵＲＬ）２４、及びサーバ５により決定される広告内容２５が対応付けて記憶される。
【００４１】
撮影ＩＤ２１は、カメラ２により撮影された画像を一意に識別する識別情報であり、カメラ２により１撮影毎に発行されるものとする。画像２２は、カメラ２により撮影された画像のデータである。パスコード２３は、ユーザがダウンロードサイトのサーバ５へアクセスする際に入力する認証コードである。パスコード２３は、チケット発券装置３によりダウンロードチケット８２の発券毎、すなわち画像２２毎に発行されるものとする。ダウンロードサイトのアドレス情報（ダウンロードＵＲＬ）２４は、ユーザがダウンロードサイトのサーバ５へアクセスするためのアドレス情報であり、画像毎にそれぞれ異なるアドレス情報がサーバ５により発行される。広告内容２５は、ダウンロードチケット８２（印刷物８）や画像をダウンロードするユーザ端末７に提供する広告の内容を指定する情報であり、ファミリー、カップル、学生、外国人等のターゲット層の情報や、イベント情報、おでかけスポット、飲食店、・・・等のような広告カテゴリの情報を含む。広告内容２５は、サーバ５により画像の内容に応じて決定される。
【００４２】
ダウンロードサイトのサーバ５は、広告内容を決定する際、例えば図６に示すようなカテゴリ決定用テーブル５５を参照してもよい。カテゴリ決定用テーブル５５は、人物の属性５６とふさわしい広告のカテゴリ５７とを対応づけたテーブルであり、ダウンロードサイトのサーバ５の記憶部５２に予め記憶される。例えば、属性５６が「ファミリー」の場合、提供するにふさわしい広告のカテゴリ５７は、「イベント情報、お出かけスポット、飲食店、ショッピング、健康、旅行、…」が設定されている。また、属性５６が「カップル」の場合、提供するにふさわしい広告のカテゴリ５７は、「イベント情報、デートスポット、飲食店、ショッピング、アパレル、旅行、…」が設定されている。また、属性５６が「こども」の場合、提供するにふさわしい広告のカテゴリ５７は、「イベント情報、ゲーム、おもちゃ、ショッピング、…」が設定されている。広告内容２５の決定方法の詳細については後述する。
【００４３】
ダウンロードサイトのサーバ５は、カメラ２により撮影された画像を取得する機能、取得した画像に基づき広告の内容を決定する機能、取得した画像を広告の内容と対応付けて記憶する機能、ユーザ端末７からの画像のダウンロード要求に応答して画像及び広告の内容に該当する広告コンテンツ４２を該ユーザ端末７に送信する機能等を有する。各機能の詳細については後述する。
【００４４】
広告配信サーバ６は、複数の広告コンテンツを記憶しており、ダウンロードサイトのサーバ５に広告コンテンツを提供するサーバである。
図７は、広告配信サーバ６のハードウェア構成を示す図である。図７に示すように、広告配信サーバ６は、例えば制御部６１、記憶部６２、及び通信部６３等をバス６８等により接続して構成したコンピュータにより実現できる。但し、これに限ることなく、適宜様々な構成をとることができる。
【００４５】
制御部６１、記憶部６２、通信部６３の機能は上述した制御部３１、記憶部３２、通信部３５と略同様である。記憶部６２には、ユーザ端末７に配信される広告コンテンツデータ４０が複数記憶されている。
【００４６】
図８は、広告配信サーバ６の記憶部６２に記憶される広告コンテンツデータ４０の内容を示す図である。広告コンテンツデータ４０には、コンテンツＩＤ４１、広告コンテンツ４２、カテゴリ４３、ターゲット層４４、言語４５、地域４６、時間帯４７等が対応付けて記憶される。コンテンツＩＤ４１は、各広告コンテンツを識別する識別情報である。広告コンテンツ４２は、広告コンテンツのデータであり、静止画や動画、音声等のファイル、またはファイルの記憶領域を示す情報が記憶される。カテゴリ４３は、広告コンテンツ４２のカテゴリを示す情報であり、例えば、デートスポット、イベント情報、飲食店、お出かけスポット等である。ターゲット層４４は、広告コンテンツ４２がターゲットとしている年齢層、性別、人種、グループ属性の情報であり、例えば、カップル、学生グループ、ファミリー、こども、３０代男性、２０代女性、外国人といった情報が記憶される。言語４５は、広告コンテンツ４２の言語情報である。地域４６は、広告コンテンツ４２を提供するのに適した地域の情報である。時間帯４７は広告コンテンツ４２を提供するのに適した時間帯の情報である。
【００４７】
広告配信サーバ６は、ダウンロードサイトのサーバ５から広告配信要求とともに広告内容２５の情報を受け取ると、ターゲット層４４や言語４５等の情報を参照して広告内容２５の情報に適した広告コンテンツ４２を広告コンテンツデータ４０から選択して提供する。また、このとき広告配信サーバ６は、ダウンロードサイトのサーバ５からユーザ端末７の位置情報やアクセス日時情報を受け取り、その位置情報やアクセス日時情報に応じた広告コンテンツ４２をサーバ５に送信してもよい。サーバ５は、広告配信サーバ６から受信した広告コンテンツ４２をユーザ端末７に送信する。
【００４８】
ユーザ端末７は、ダウンロードチケット８２を購入した購入者が保有するスマートフォンなどの情報端末である。ユーザ端末７は、ダウンロードサイトのサーバ５に通信接続し、画像のダウンロード要求を送信する機能、画像及び広告を受信する機能、受信した画像及び広告を表示する機能等を有する。例えば、ユーザ端末７は、ダウンロードチケット８２に印刷されたアドレス情報８８（２次元コード）をユーザ端末７のカメラ７６等で読み取ることで、ダウンロードサイトのサーバ５へアクセスして撮影された画像のダウンロードを要求し、要求した画像や広告コンテンツをサーバ５から受信して閲覧可能に表示することができる。この画像ダウンロード処理については後述する（図１２）。
【００４９】
図９はユーザ端末７のハードウェア構成を示す図である。図９に示すように、ユーザ端末７は制御部７１、記憶部７２、表示部７３、入力部７４、通信部７５、カメラ７６、音声入出力部７７等をバス７８等により接続して構成される。但し、これに限ることなく、適宜様々な構成をとることができる。
【００５０】
制御部７１、記憶部７２、入力部７４、通信部７５の機能は上述した制御部３１、記憶部３２、入力部３４、通信部３５と略同様である。また表示部７３は液晶パネル等のディスプレイ装置を有し、入力部７４としてのタッチパネルが設けられている。カメラ７６は、例えばＣＣＤ（Charge Coupled Device）やＣＭＯＳ（Complementary
Metal Oxide Semiconductor）等の撮像素子を用いたカメラである。カメラ７６により、ダウンロードチケット８２に付されたＱＲコード（登録商標）８８を撮影する。音声入出力部７７はマイクやスピーカー等である。
【００５１】
次に、図１０〜図１２を参照して、画像ダウンロードシステム１が実行する各処理について説明する。
【００５２】
まず、図１０を参照して、来場者（被写体）を撮影し、撮影画像をチケット発券装置３に送信してダウンロードチケット８２を発券する処理（チケット発券処理）について説明する。
【００５３】
撮影者がカメラ２により来場者を被写体として撮影を行う（ステップＳ１０１）。カメラ２は、当該撮影を識別するための撮影ＩＤ２１を発行し、撮影した画像２２とともにチケット発券装置３へ送信する（ステップＳ１０２）。
【００５４】
チケット発券装置３の制御部３１は、カメラ２から撮影ＩＤ２１と画像２２を受信する（ステップＳ１０３）と、受信した画像２２に対してパスコード２３を発行する（ステップＳ１０４）。チケット発券装置３の制御部３１は、ステップＳ１０３で受信した撮影ＩＤ２１、画像２２、及びステップＳ１０４で発行したパスコード２３を対応づけて記憶部３２またはストレージ１００に記憶するとともにダウンロードサイトのサーバ５に送信する（ステップＳ１０５）。
【００５５】
ダウンロードサイトのサーバ５は、チケット発券装置３から撮影ＩＤ２１、画像２２、及びパスコード２３を受信すると（ステップＳ１０６）、受信した画像２２を分析し画像２２に基づいて広告内容２５を決定する（ステップＳ１０７）。
【００５６】
図１１は、ステップＳ１０７の広告内容決定処理を説明するフローチャートである。図１１に示すように、広告内容決定処理においてダウンロードサイトのサーバ５の制御部５１は、まず画像２２に含まれる人物の顔や服装等を認識し、認識結果を分析することにより（ステップＳ２０１）、人物の属性を判定する（ステップＳ２０２）。属性とは、性別、年齢、人数、人種等の人物属性や、複数の人物が含まれる場合は、画像２２に含まれる各人物の属性に基づき決定されるグループ属性である。属性を判定するには、例えば、機械学習を用いてもよいし、属性判定の基準となる人物画像やグループ画像等と比較して判定してもよい。具体的には例えば、５０代アジア系男性、４０代アジア系女性、１０代アジア系男性、１０代アジア系女性のグループであれば、アジア系のファミリーと判定する。また、２０代アジア系男性と２０代アジア系女性の二人が画像に写っている場合は、アジア系のカップルと判定する。また、３０代ヒスパニック系男性と３０代ヒスパニック系女性と１０代ヒスパニック系女性のグループであれば、ヒスパニック系ファミリーと判定する。
【００５７】
そして、ダウンロードサイトのサーバ５の制御部５１は、ステップＳ２０２で判定した属性に基づいて広告の内容２５を決定する（ステップＳ２０３）。広告の内容２５には、ステップＳ２０２で判定した属性の情報と、広告のカテゴリとを含むものとする。広告のカテゴリとは、例えば、イベント情報、飲食店、デートスポット、おでかけスポット、アパレル、不動産、乗り物、ショッピング等である。
【００５８】
広告の内容２５を決定するため、サーバ５の制御部５１は、例えば、図６にカテゴリ決定用テーブル５５を参照して画像に含まれる人物の属性に適した広告カテゴリを読み出す。例えば、画像に含まれる人物が、上述のアジア系のファミリーであれば、広告の内容２５は、図６のカテゴリ決定用テーブル５５から「イベント情報」、「お出かけスポット」、「飲食店」、「ショッピング」、「健康」、「旅行」等が読み出される。制御部５１は、読み出したカテゴリの情報と、ステップＳ２０２で決定した属性の情報とを広告の内容２５の情報として、撮影画像データ２０の該当する画像２２に対応づけて記憶する。
【００５９】
また、画像２２に含まれる人物が、上述のアジア系のカップルであれば、広告の内容２５は、図６のカテゴリ決定用テーブル５５から「イベント情報」、「デートスポット」、「飲食店」、「ショッピング」、「アパレル」、「旅行」等が読み出される。制御部５１は、読み出したカテゴリの情報と、ステップＳ２０２で決定した属性の情報とを広告の内容２５の情報として、撮影画像データ２０の該当する画像２２に対応づけて記憶する。
【００６０】
このようにして、受信した画像２２に対応する広告の内容２５が決定されると、次に、ダウンロードサイトのサーバ５は、受信した画像２２をダウンロードするためのダウンロードサイトのアドレス情報（ダウンロードＵＲＬ）２４を発行し（ステップＳ１０８）、当該画像２２、撮影ＩＤ２１、広告の内容２５、パスコード２３、ダウンロードＵＲＬ２４を対応づけて撮影画像データ２０（図５）として記憶する。
【００６１】
ダウンロードサイトのサーバ５の制御部５１は、ダウンロードチケット（印刷物）８を作成する（ステップＳ１１０）。上述したように、印刷物８には、ステップＳ１０３で受信した画像２２がサンプル写真８４としてレイアウトされるとともに、当該画像２２のダウンロード用の識別情報であるパスコード２３を示す情報８５、画像２２のダウンロード手順を説明する文章８７とともに、ダウンロードサイトのサーバ５へのアドレス情報８８を有する２次元コード、サンプル写真８４側の半券８１とダウンロードチケット８２側の半券とを照合するための識別コード８９等がレイアウトされる。
【００６２】
制御部３１は、作成したダウンロードチケット（印刷物）８のデータをチケット発券装置３に送信する（ステップＳ１１１）。チケット発券装置３は、サーバ５からダウンロードチケット（印刷物）８のデータを受信すると（ステップＳ１１２）、そのデータをプリンタ３６に出力し、所定の用紙に印刷する（ステップＳ１１３）。
【００６３】
本実施の形態では、所定の用紙とは、２つに切り離すことが可能なミシン目を有するキャリー用紙であり、プリンタ３６は、ミシン目を境界として用紙の一方側にサンプル写真８４とパスコード２３を示す情報８５を印刷し、ミシン目を境界として用紙の他方側に広告８６、画像ダウンロード手順８７、２次元コード８８を印刷する。また、プリンタ３６は、用紙の一方側と他方側の双方に同一の識別コード８９を印刷する。これにより、図３に示すような印刷物８が出来上がる。図３に示すように、印刷物８のうち、ミシン目８３を境界として左側が、無償提供するサンプル写真８４となり、ミシン目８３を境界として右側がチケット購入後に提供されるダウンロードチケット８２となる。サンプル写真８４は、撮影された来場者に無償で提供され、右側のダウンロードチケット８２は、購入代金と引き換えに有償で提供される（課金処理；ステップＳ１１４）。
【００６４】
なお、ダウンロードチケット８２に印刷される広告８６は、ステップＳ１０７で決定された広告の内容２５に該当する広告コンテンツであり、画像や文字等が印刷される。この広告８６は、ダウンロードサイトのサーバ５に予め記憶されているか、或いはネットワーク４を介して通信接続された広告配信サーバ６から広告の内容２５に基づいて取得した広告情報等である。すなわち、ステップＳ１１０のダウンロードチケット生成処理において、ダウンロードサイトのサーバ５の制御部５１は、広告配信サーバ６に対して広告の内容２５に該当する広告コンテンツの配信を要求する。このとき要求する広告コンテンツは、券面に印刷されるため、静止画または文字とする。広告配信サーバ６は、ダウンロードサイトのサーバ５から広告の内容２５の情報とともに広告配信要求を受信すると、広告の内容２５に適した広告コンテンツを広告コンテンツデータ４０から選択してダウンロードサイトのサーバ５に送信する。これにより、ダウンロードサイトのサーバ５は、ダウンロードチケット（印刷物）８の券面に印刷する広告を取得できる。
【００６５】
また、ステップＳ１１０のダウンロードチケット（印刷物）８の生成処理は、チケット発券装置３が行うものとしてもよい。この場合、ダウンロードサイトのサーバ５の制御部５１は、ダウンロードチケット（印刷物）８の作成に必要な情報（画像２２のダウンロードサイトへのアドレス情報（ダウンロードＵＲＬ２４）を有する２次元コード、広告コンテンツ４２）をチケット発券装置３に送信する。チケット発券装置３は、記憶部３２またはストレージ１００に記憶された画像２２、パスコード２３を読み出し、画像２２のサンプル写真８４、パスコード２３を示す情報８５、画像２２のダウンロード手順を説明する文章８７をレイアウトするとともに、ダウンロードサイトのサーバ５から受信した広告コンテンツ８６、画像２２のダウンロードサイトへのアドレス情報（ダウンロードＵＲＬ２４）を有する２次元コード８８をレイアウトして、ダウンロードチケット（印刷物）８の印刷用データを作成する。また、サンプル写真８４側の半券８１とダウンロードチケット８２側の半券とを照合するための識別コード８９等もレイアウトする。
【００６６】
なお、チケット発券装置３はダウンロードチケット（印刷物）８の生成処理のみを実施し、チケット発券を実施しないものとしてもよい。具体的には、例えば、チケット発券装置３はダウンロードチケット（印刷物）８の生成処理を行い、表示部３３にダウンロードチケット８と同様の内容を表示する。この場合、チケット発券装置３の表示部３３に表示されたＱＲコード（登録商標）をユーザ端末７で読込みダウンロードする。或いは、チケット発券装置３と通信接続されたユーザ端末７にダウンロードチケット８と同様の内容を送信し、ユーザ端末７の表示部７３に表示する。
【００６７】
次に、図１２、図１３を参照して、ダウンロードチケット８２の購入者が保有するユーザ端末７を用いて、ダウンロードサイトのサーバ５から画像２２をダウンロードする処理（画像ダウンロード処理）について説明する。
【００６８】
ここでは、図３のダウンロードチケット８２を用いて、図５の撮影ＩＤ２１（「００００１」）に紐づく画像２２をダウンロードする場合を説明する。なお、この画像２２は、ダウンロードチケット８２に２次元コード８８の形態で印刷されたアドレス情報（ダウンロードＵＲＬ）によって指定されるダウンロードサイトのサーバ５にアップロードされているものとする。サーバ５は認証が必要なＷｅｂサイトのサーバであり、サンプル写真８４に印刷されたパスコード２３を示す情報８５によって認証を行うものとする。
【００６９】
まず、購入者は、ユーザ端末７で画像ダウンロード用のアプリを起動する（ステップＳ３０１）。アプリを起動すると、ユーザ端末７の制御部７１は、カメラ７６を起動して、図１３（ａ）に示すような２次元コード読取画面９１を表示し、ダウンロードチケット８２の２次元コード８８をユーザ端末７に読み取らせる（ステップＳ３０２）。制御部７１は、ダウンロードサイトのサーバ５へアクセスするか否かをユーザが確認するための確認画面９２（図１３（ｂ））を表示部７３に表示する（ステップＳ３０３）。確認画面９２において、ユーザがダウンロードサイトのサーバ５へのアクセスを認めると、制御部７１は、通信部７５によりダウンロードサイトのサーバ５へアクセスする（ステップＳ３０４）。このとき、ユーザ端末７は、位置情報をユーザ端末７のＧＰＳ等から取得してサーバ５へ送信することが望ましい。
【００７０】
ダウンロードサイトのサーバ５は、ユーザ端末７からアクセスがあると、広告配信サーバ６に対して広告取得要求を送る（ステップＳ３０５）。ステップＳ３０５において、ダウンロードサイトのサーバ５は、ステップＳ１０７で決定した広告の内容２５の情報を広告取得要求とともに送信する。また、ダウンロードサイトのサーバ５は、ユーザ端末７から受信したユーザ端末７の位置情報及びサーバ５へのアクセス日時情報を広告配信サーバ６に送信することが望ましい。
【００７１】
広告配信サーバ６は、ダウンロードサイトのサーバ５からの要求に従って、記憶部６２から広告コンテンツ４２を取得し、ダウンロードサイトのサーバ５に送信する（ステップＳ３０６）。ユーザ端末７の位置情報及びサーバ５へのアクセス日時情報がダウンロードサイトのサーバ５から送信されている場合は、ユーザ端末７の位置情報及びサーバ５へのアクセス日時情報に応じた広告コンテンツ４２を記憶部６２から取得し、ダウンロードサイトのサーバ５へ送信することが望ましい。
【００７２】
具体的には、広告配信サーバ６は、ダウンロードサイトのサーバ５から受信した広告の内容２５に該当する広告コンテンツ４２を広告コンテンツデータ４０（図８）から抽出し、抽出した広告コンテンツ４２の中からランダムに１つの広告コンテンツを選択してダウンロードサイトのサーバ５に送信する。ユーザ端末７の位置情報及びサーバ５へのアクセス日時情報がダウンロードサイトのサーバ５から送信されている場合は、抽出した広告コンテンツ４２の中から更に、位置情報やアクセス日時情報に基づいて適切な広告コンテンツを絞り込み、１つの広告コンテンツを選択してダウンロードサイトのサーバ５に送信してもよい。例えば、ダウンロードサイトのサーバ５から受信した広告の内容２５が「ファミリー、イベント情報、お出かけスポット、飲食店、ショッピング、健康、旅行、・・・」である場合は、広告配信サーバ６の制御部６１は、広告コンテンツデータ４０として記憶されている広告コンテンツ４２の中から、カテゴリ４３及びターゲット層４４に該当するキーワードを含む広告コンテンツを抽出する。これにより、例えば、コンテンツＩＤ４１が「0035」の広告コンテンツ４２「a0015」等が抽出される。また、広告配信サーバ６の制御部６１は、広告コンテンツデータ４０の地域４６、時間帯４７を参照して、ユーザ端末７の位置情報やアクセス日時情報に適した広告コンテンツ４２を選択し、ダウンロードサイトのサーバ５へ送信してもよい。
【００７３】
例えば、図１４（ａ）に示すように、画像２２に「ファミリー」が含まれる場合、ファミリー向けの広告コンテンツ４２が配信される。図１４（ａ）の例では、広告コンテンツ４２は水族館の広告である。また、図１４（ｂ）に示すように画像２２の「ファミリー」が外国人である場合は、外国人向けの作成された広告コンテンツ４２や、言語が切り替えられた広告コンテンツ４２（例えば表示広告に外国語の字幕を表示）が選択される。
【００７４】
また、図１５に示すように、同じ画像２２をダウンロードする場合でも、時間帯に応じた広告コンテンツが配信されるようにすることが望ましい。図１５（ａ）は昼に配信される飲食店の広告の例であり、図１５（ｂ）は夜に配信される飲食店の広告の例である。
【００７５】
ダウンロードサイトのサーバ５は、広告配信サーバ６から広告コンテンツ４２を取得すると、ステップＳ３０４でアクセスしたユーザ端末７に対して広告コンテンツ４２を送信する（ステップＳ３０７）。ユーザ端末７は、広告コンテンツ４２を受信して、図１３（ｃ）に示すように広告表示画面９３に表示する（ステップＳ３０８）。
【００７６】
ダウンロードサイトのサーバ５は、広告コンテンツ４２を送信後、ユーザ端末７に対してパスコード入力画面９４を送信する（ステップＳ３０９）。ユーザ端末７は、広告の表示開始から所定時間が経過した後、ダウンロードサイトのサーバ５から送信されたパスコード入力画面９４を表示部７３に表示する。或いは、ユーザ端末７は、広告の表示開始から所定時間が経過した後であって、広告の表示を消去する指示が入力された場合に、パスコード入力画面９４を表示部７３に表示してもよい。このように、広告を表示してからパスコードの入力までに所定の時間間隔を設けてユーザ端末７に広告コンテンツ４２を表示させることで、ユーザが画像をダウンロードする前（パスコード入力前）に広告を提供することができる。
【００７７】
図１３（ｄ）に示すようなパスコード入力画面９４が表示され、ユーザによりパスコード２３が入力されると、ユーザ端末７の制御部７１は、入力されたパスコード２３をダウンロードサイトのサーバ５に対して送信する（ステップＳ３１０）。ダウンロードサイトのサーバ５は、パスコード２３を受信し、正しく認証されると（ステップＳ３１１）、ユーザ端末７にパスコード２３に対応する画像２２を送信する（ステップＳ３１２）。
【００７８】
ユーザ端末７には、図１３（ｅ）に示すようなダウンロード画面９５が表示され、ダウンロードした画像２２が表示される（ステップＳ３１３）。ユーザは、カメラ２にて撮影された画像２２をユーザ端末７で閲覧したり保存したりすることが可能となる（ステップＳ３１４）。
【００７９】
なお、ユーザ端末７は、図１３（ｃ）の広告表示画面９３において、ダウンロードサイトのサーバ５から受信した画像２２と広告コンテンツ４２とを組み合わせて表示するようにしてもよい。すなわち、ユーザ端末７は、ダウンロードチケット８２に２次元コード８８の形態で印刷されたアドレス情報によって指定されるダウンロードサイトのサーバ５からユーザ自身が写っている画像２２を取得するとともに、広告コンテンツ４２を受信する。そしてユーザ端末７は、受信した広告コンテンツ４２に受信したユーザの画像２２を組み合わせて再生する。具体的には、例えばユーザ端末７は、ユーザ端末７に送信された広告コンテンツ４２から人物領域を認識するとともにユーザの画像２２の人物領域を認識し、人物領域同士を交換して広告コンテンツ４２を再生する。また、図１６に示すように、ユーザの画像２２の人物領域を認識して切り抜き、広告コンテンツ４２が背景となるように合成して広告コンテンツ４２を再生するようにしてもよい。広告コンテンツ４２は、例えばストリーミング映像として配信される。
【００８０】
以上説明したように、本実施の形態によれば、遊園地やイベント会場等で来場者（被写体）を撮影した画像２２を来場者のユーザ端末７でダウンロードする際に、画像に適した広告を配信することが可能となる。ダウンロードする画像２２の被写体であるユーザにとって適切な広告が配信されるため、広告への興味を持たせやすくなり、広告の効果を期待できるようになる。また、本実施の形態におけるダウンロード手順では、画像２２をダウンロードして表示する前に、広告が表示されるため、ユーザが広告を視聴した後に画像２２を取得することが可能となる。これにより、ユーザは広告により有益な情報を得つつ、遊園地等で撮影された画像をユーザ端末でダウンロードできる。広告配信者である企業等は、広告の視聴数を増加させることができ、広告による販促等の効果を期待できるようになる。
【００８１】
以上、添付図面を参照しながら、本発明に係る好適な実施形態について説明したが、本発明はかかる例に限定されない。例えば、本実施の形態では、遊園地やイベント会場等における撮影サービスにおいて、本発明を適用した例について説明したが、キャラクターとのツーショット撮影販売サービス、観光スポットでの撮影販売サービス、結婚記念の撮影販売サービス、学校の卒業記念の撮影販売サービス等、様々な場面で本発明を適用することができる。また、その他のサービスにおいて、本発明を適用することもできる。
【００８２】
また、本実施の形態では、ダウンロードチケット８２は印刷物８（紙媒体）による出力の例を説明したが、出力の形態は紙媒体に限定されない。例えば、近距離無線通信機能等を利用してチケット発券装置３とユーザ端末７との間で通信接続を行い、印刷物８に相当するサンプル写真８４をデータ出力するようにしてもよい。この場合も、課金したユーザに対してはダウンロードチケット８２の半券部分をデータ出力して、ダウンロードサイトのサーバ５へのアクセス情報やパスコードを送るようにしてもよい。
【００８３】
その他、当業者であれば、本願で開示した技術的思想の範疇内において、各種の変更例又は修正例に想到し得ることは明らかであり、それらについても当然に本発明の技術的範囲に属するものと了解される。
【符号の説明】
【００８４】
１………画像ダウンロードシステム
２………カメラ
３………チケット発券装置
４………ネットワーク
５………ダウンロードサイトのサーバ
６………広告配信サーバ
７………ユーザ端末
８………印刷物（ダウンロードチケット）
２０………撮影画像データ
２１………撮影ＩＤ
２２………画像
２３………パスコード
２４………ダウンロードサイトのアドレス情報（ダウンロードＵＲＬ）
２５………広告の内容
４０………広告コンテンツデータ
５５………カテゴリ決定用テーブル
８２………ダウンロードチケット
８３………ミシン目
８４………サンプル写真
８５………パスコードを示す情報          
８６………広告
８８………２次元コード
８９………識別コード
１００………ストレージ
【図１】
2020046722.tif 000003
【図２】
2020046722.tif 000004
【図３】
2020046722.tif 000005
【図４】
2020046722.tif 000006
【図５】
2020046722.tif 000007
【図６】
2020046722.tif 000008
【図７】
2020046722.tif 000009
【図８】
2020046722.tif 000010
【図９】
2020046722.tif 000011
【図１０】
2020046722.tif 000012
【図１１】
2020046722.tif 000013
【図１２】
2020046722.tif 000014
【図１３】
2020046722.tif 000015
【図１４】
2020046722.tif 000016
【図１５】
2020046722.tif 000017
【図１６】
2020046722.tif 000018